(57)【要約】      （修正有）【課題】スプレーガンとスプレー缶とを接続するアダプターを提供する。【解決手段】アダプター１は、本体部１０と、ガン用螺子部１１と、縮径部１２と、段差部１３と、貫通孔１４と、缶用装着部１５と、を備える。本体部１０は、筒の上面を蓋１０ａで塞いだ形状である。ガン用螺子部１１は、本体部１０の蓋１０ａの上面の中心から本体部１０の上方に向かって小筒状に設けられ、スプレーガンの先端部と螺着可能である。縮径部１２は、本体部１０の蓋１０ａの下面から本体部１０の上方に向かって縮径して設けられる。段差部１３は、縮径部１２の頂点に設けられ、スプレー缶の先端部から延出される吹き出しストローに当接可能である。貫通孔１４は、段差部１３の中心から本体部１０の上方に向かってガン用螺子部１１の下面の中央まで貫通して設けられる。缶用装着部１５は、本体部１０の筒の下面に設けられ、スプレー缶の先端部に装着可能である。【選択図】図１
0003230286.tif 000002
【実用新案登録請求の範囲】
【請求項１】
筒の上面を蓋で塞いだ形状の本体部と、
前記本体部の蓋の上面の中心から前記本体部の上方に向かって小筒状に設けられ、スプレーガンの先端部と螺着可能なガン用螺子部と、
前記ガン用螺子部の下面に対応する前記本体部の蓋の下面から前記本体部の上方に向かって縮径して設けられた縮径部と、
前記縮径部の頂点に設けられ、スプレー缶の先端部から延出される吹き出しストローに当接可能な段差部と、
前記段差部の中心から前記本体部の上方に向かって前記ガン用螺子部の下面の中央まで貫通して設けられた貫通孔と、
前記本体部の筒の下面に設けられ、前記スプレー缶の先端部に装着可能な缶用装着部と、を備え、
本アダプターは、前記缶用装着部を前記スプレー缶の先端部に装着すると、前記吹き出しストローが、前記縮径部を介して前記段差部に当接し、当該段差部は、前記吹き出しストローを下方に押下する、
アダプター。
【請求項２】
上側本体部と、
前記上側本体部の上面の中心から前記上側本体部の上方に向かって小筒状に設けられ、スプレーガンの先端部と螺着可能なガン用螺子部と、
前記ガン用螺子部の下面に対応する前記上側本体部の下面から前記上側本体部の下方に向かって小筒状に延出された延出部と、
前記延出部の下面から前記上側本体部の上方に向かって縮径して設けられた縮径部と、
前記縮径部の頂点に設けられ、スプレー缶の先端部から延出される吹き出しストローに当接可能な段差部と、
前記段差部の中央から前記上側本体部の上方に向かって前記ガン用螺子部の下面の中央まで貫通して設けられた貫通孔と、
下側本体部と、
前記下側本体部の下面に設けられ、スプレー缶の先端部に装着可能な缶用装着部と、
前記上側本体部に設けられた第一の接続部と、
前記下側本体部に設けられ、前記第一の接続部と接続可能であり、前記第一の接続部に接続すると、前記上側本体部と前記下側本体部とが全体として筒の上面を蓋で塞いだ形状となる第二の接続部と、を備え、
本アダプターは、前記缶用装着部を前記スプレー缶の先端部に装着し、前記第一の接続部を前記第二の接続部に接続すると、前記吹き出しストローが、前記縮径部を介して前記段差部に当接し、当該段差部は、前記吹き出しストローを下方に押下する、
アダプター。
【考案の詳細な説明】
【技術分野】
【０００１】
本考案は、スプレーガンとスプレー缶とを接続するアダプターに関する。
【背景技術】
【０００２】
従来より、スプレーガン用のアダプターに関する技術は多種存在する。例えば、特開２０００−１６７４４４公報（特許文献１）には、塗料を塗料ノズルに供給し、その後部中心に配した空気ノズル口より第一の圧縮空気を噴出して混合噴霧する内部混合式スプレーガンに対する丸吹きスプレーガン用アダプターが開示されている。このスプレーガン用アダプターは、塗料ノズルからの噴霧塗料に第２の圧縮空気流を噴射衝突させて噴霧パターンを変形させる圧縮空気の噴出穴を設け、塗料ノズルの先端部に着脱可能に取り付けられる。これにより、下塗り塗装・中塗り塗装・上塗り塗装の各塗装段階や塗料の種類等による、平吹きパターン塗装と丸吹きパターン塗装の切り替えや吹き付け模様の変化・調整がアダプターの使用のみで広範囲に適用できるので、平吹き用と丸吹き用の多種類のスプレーガンを準備したり、平吹き用空気キャップと丸吹き用空気キャップを兼用して塗料が付着してしまうような問題が解消されるとしている。
【０００３】
又、特開２０１６−１２４５８３号公報（特許文献２）には、上端が塞がれた円筒状のヘッド部に、噴射気流によって発生する負圧作用によって内部通路に吸引力を発生させる吸上げノズルが設けられ、この吸上げノズルが、ヘッド部の外側で開口する液体噴出口とヘッド部内に配備された吸上げ通路接続口とを具備してなるホルダー、を備えたスプレーガンに用いられるスプレーガンアダプターが開示されている。このスプレーガンアダプターは、容器取付け部と、筒部と、接続筒部と、を備えてなるアダプター本体と、このアダプター本体をヘッド部に対して着脱するための着脱機構と、を有する。容器取付け部は、液体容器の口部が装着される。筒部は、この容器取付け部に設けられてヘッド部に挿入される。接続筒部は、容器取付け部と筒部とを仕切る隔壁部に設けられて吸上げ通路接続口に接続される液体出口及びこの液体出口に連通されて容器取付け部に装着された液体容器に貯留されている液体を吸い上げるための吸上げチューブが接続されるチューブ接続口を備える。又、着脱機構を介してアダプター本体をホルダーに装着することによって、筒部がヘッド部に挿入され、かつ、接続筒部の液体出口が吸上げ通路接続口に接続されるように構成されている。これにより、スプレーガンアダプター（アダプター）は、そのアダプター本体が着脱機構を介してホルダーのヘッド部に着脱される。そして、容器取付け部に装着された液体容器中の液体（たとえば塗料）に、接続筒部のチューブ接続口に接続した吸上げチューブを挿入しておくと、塗装作業中には、液体容器中の塗料が、吸上げチューブ、接続筒部の内部通路及び液体出口を経て吸上げノズルの液体噴出口から噴射される。従って、塗装作業中に、塗料がヘッド部の内面や吸上げノズルにおける吸上げ通路接続口の外面に付着することはない。又、筒部の内部空間が、隔壁部によって容器取付け部の内部空間から仕切られているので、塗装作業中に液体容器が、激しく振り動かされたり、倒立姿勢に倒されたりしたとしても、液体容器中の塗料が筒部の内部空間に入ってヘッド部の内面に付着するという事態が起こらない。従って、液体容器と吸上げチューブとをアダプター本体に装着したままアダプターと共にヘッド部から取り外した後、新たなアダプター本体に装着された別の液体容器と別の吸上げチューブとをその新たなアダプターを介してヘッド部に装着して塗装作業を行うと、「色混ざり」を生じるようなことは無くなるとしている。
【先行技術文献】
【特許文献】
【０００４】
【特許文献１】特開２０００−１６７４４４公報
【特許文献２】特開２０１６−１２４５８３号公報
【考案の概要】
【考案が解決しようとする課題】
【０００５】
スプレーガンは、一般的に、エアーポンプに接続して使用されるが、エアーポンプのパイプの長さにより、スプレーガンが移動できる領域は、エアーポンプの周辺に限定される。そのため、ユーザーは、様々な場所や場面でスプレーガンを使用したい場合、エアーポンプを現場に搬送せざるを得ず、気軽にスプレーガンを利用することが出来ないという課題がある。一方、スプレー缶は、市販で販売されており、単にエアーの吹き付けだけを行うスプレー缶も存在する。このスプレー缶を上手く利用することで、スプレーガンを気軽に利用することが出来る可能性がある。
【０００６】
上述した特許文献１、２に記載の技術では、スプレー缶との接続を想定しておらず、上述の課題を解決することが出来ない。
【０００７】
そこで、本考案は、前記課題を解決するためになされたものであり、どのような場所でも気軽にスプレーガンを利用することが可能なアダプターを提供することを目的とする。
【課題を解決するための手段】
【０００８】
本考案に係るアダプターは、本体部と、ガン用螺子部と、縮径部と、段差部と、貫通孔と、缶用装着部と、を備える。本体部は、筒の上面を蓋で塞いだ形状である。ガン用螺子部は、前記本体部の蓋の上面の中心から前記本体部の上方に向かって小筒状に設けられ、スプレーガンの先端部と螺着可能である。縮径部は、前記本体部の蓋の下面から前記本体部の上方に向かって縮径して設けられる。段差部は、前記縮径部の頂点に設けられ、スプレー缶の先端部から延出される吹き出しストローに当接可能である。貫通孔は、前記段差部の中心から前記本体部の上方に向かって前記ガン用螺子部の下面の中央まで貫通して設けられる。缶用装着部は、前記本体部の筒の下面に設けられ、前記スプレー缶の先端部に装着可能である。本アダプターは、前記缶用装着部を前記スプレー缶の先端部に装着すると、前記吹き出しストローが、前記縮径部を介して前記段差部に当接し、当該段差部は、前記吹き出しストローを下方に押下する。
【考案の効果】
【０００９】
本考案によれば、どのような場所でも気軽にスプレーガンを利用することが可能となる。
【図面の簡単な説明】
【００１０】
【図１】本考案の第一の実施形態に係るアダプターの斜視図、平面図、底面図、正面図、Ａ−Ａ線断面図である。
【図２】本考案の第一の実施形態に係るアダプターの使用状態を示す斜視図と正面視断面図とである。
【図３】本考案の第一の実施形態に係るアダプターの使用状態を示す斜視図と正面図とである。
【図４】本考案の第二の実施形態に係るアダプターの上側本体部の斜視図、平面図、底面図、正面図、Ａ−Ａ線断面図である。
【図５】本考案の第二の実施形態に係るアダプターの下側本体部の斜視図、平面図、底面図、正面図、Ａ−Ａ線断面図である。
【図６】本考案の第二の実施形態に係るアダプターの使用状態を示す斜視図と正面視断面図とである。
【図７】本考案の第二の実施形態に係るアダプターの変形例と使用状態を示す斜視図と正面視断面図とである。
【図８】本考案の第二の実施形態に係るアダプターの変形例と使用状態を示す斜視図と正面視断面図とである。
【図９】本考案の第三の実施形態に係るアダプターの上側本体部の斜視図、平面図、底面図、右側面図、正面図、Ａ−Ａ線断面図、Ｂ−Ｂ線断面図である。
【図１０】本考案の第三の実施形態に係るアダプターの下側本体部の斜視図、平面図、底面図、右側面図、正面図、Ａ−Ａ線断面図、Ｂ−Ｂ線断面図である。
【図１１】本考案の第三の実施形態に係るアダプターの上側本体部と下側本体部の接続時の斜視図、平面図、底面図、右側面図、正面図、Ａ−Ａ線断面図、Ｂ−Ｂ線断面図である。
【図１２】本考案の第三の実施形態に係るアダプターの使用状態を示す正面視断面図である。
【図１３】本考案の第三の実施形態に係るアダプターの使用状態を示す斜視図である。
【図１４】本考案の第四の実施形態に係るアダプターの上側本体部の斜視図、正面図、正面視断面図と、下側本体部の斜視図、平面図、正面図、正面視断面図とである。 と下側本体部の接続時の斜視図、平面図、底面図、右側面図、正面図、Ａ−Ａ線断面図、Ｂ−Ｂ線断面図である。
【図１５】本考案の第四の実施形態に係るアダプターの使用状態を示す斜視図と正面視断面図である。
【図１６】本考案の第五の実施形態に係るアダプターの上側本体部の斜視図、正面図、正面視断面図と、下側本体部の斜視図、平面図、正面図、正面視断面図とである。
【図１７】本考案の第五の実施形態に係るアダプターの使用状態を示す斜視図と正面視断面図である。
【考案を実施するための形態】
【００１１】
以下に、添付図面を参照して、本考案の実施形態について説明し、本考案の理解に供する。尚、以下の実施形態は、本考案を具体化した一例であって、本考案の技術的範囲を限定する性格のものではない。
【００１２】
本考案について、先ず、第一の実施形態について説明する。本考案に係るアダプター１は、図１−図３に示すように、本体部１０と、ガン用螺子部１１と、縮径部１２と、段差部１３と、貫通孔１４と、缶用装着部１５と、を備える。尚、背面図と、左側面図と、右側面図は、正面図と同一にあらわれるため省略している。
【００１３】
本体部１０は、筒の上面を蓋１０ａで塞いだ形状である。ガン用螺子部１１は、本体部１０の蓋１０ａの上面の中心から本体部１０の上方に向かって小筒状に設けられ、スプレーガン２の先端部２０と螺着可能である。ここで、図１では、ガン用螺子部１１には、小筒の内面に螺子部が設けられている。図３では、スプレーガン２の先端部２０には、外面に螺子部が設けられている。
【００１４】
縮径部１２は、本体部１０の蓋１０ａの下面から本体部１０の上方に向かって縮径して設けられる。段差部１３は、縮径部１２の頂点に設けられ、スプレー缶３の先端部３０から延出される吹き出しストロー３１に当接可能である。
【００１５】
貫通孔１４は、段差部１３の中心から本体部１０の上方に向かってガン用螺子部１１の下面の中央まで貫通して設けられる。缶用装着部１５は、本体部１０の筒の下面に設けられ、スプレー缶３の先端部３０に装着可能である。
【００１６】
ここで、缶用装着部１５は、スプレー缶３の先端部３０の円環状の金具に引っ掛かるように、本体部１０の筒の下面の端部から本体部１０の内部に向かって突出した係止環を形成している。そして、本考案に係るアダプター１は、アダプター１の缶用装着部１５をスプレー缶３の先端部３０に装着すると、吹き出しストロー３１が、縮径部１２を介して段差部１３に当接し、段差部１３は、吹き出しストロー３１を下方に押下する。
【００１７】
これにより、どのような場所でも気軽にスプレーガンを利用することが可能となる。即ち、本考案の第一の実施形態に係るアダプター１の使用方法について説明すると、図２に示すように、ユーザーが、アダプター１の缶用装着部１５をスプレー缶３の先端部３０に覆い被せるように装着して固定すると、スプレー缶３の先端部３０の吹き出しストロー３１が、アダプター１の縮径部１２に当接し、縮径部１２により、縮径部１２の頂点に案内される。
【００１８】
縮径部１２の頂点には、段差部１３が設けられていることから、縮径部１２の頂点に案内された吹き出しストロー３１が段差部１３に当接し、固定される。ここで、縮径部１２により、吹き出しストロー３１を段差部１３に確実に案内することが出来る。
【００１９】
ここで、アダプター１の缶用装着部１５がスプレー缶３の先端部３０に固定されると、アダプター１の段差部１３の位置は、スプレー缶３の先端部３０に対して固定されることから、段差部１３は、吹き出しストロー３１の当接に対して抗力を有し、吹き出しストロー３１をスプレー缶３の内側に押し出す。
【００２０】
すると、吹き出しストロー３１は、内部に押し出されることで、スプレー缶３の内部のエアーは、吹き出しストロー３１から吹き出すため、段差部１３の貫通孔１４からガン用螺子部１１の内部を通って外部に排出される。
【００２１】
このように、アダプター１の缶用装着部１５をスプレー缶３の先端部３０に装着することで、スプレー缶３の吹き出しストロー３１からエアーを吹き出すことが可能となる。
【００２２】
そこで、図３に示すように、スプレーガン２の先端部２０をアダプター１のガン用装着部１１に螺着して装着することで、スプレー缶３の吹き出しストロー３１からのエアーをスプレーガン２の先端部２０からスプレーガン２の内部に導入することが出来る。つまり、アダプター１を介して、スプレーガン２をスプレー缶３に接続することで、スプレー缶３の内部のエアーをスプレーガン２に送り出すことが可能となり、エアーポンプを用いることなくスプレーガン２をどのような場所でも気軽に利用することが可能となるのである。
【００２３】
ここで、本体部１０の形状に特に限定は無く、例えば、図１に示すように、ドーム形状や円筒の上面を蓋で塞いだ形状、三角筒や四角筒、多角筒の上面を蓋で塞いだ形状であっても構わない。
【００２４】
又、ガン用螺子部１１の構成に特に限定は無く、図３に示すように、スプレーガン２の先端部２０の外周面に螺子部が設けられている場合は、ガン用螺子部１１の内周面に、スプレーガン２の先端部２０の螺子部に螺着する螺子部が設けられている。一方、スプレーガン２の先端部２０の内周面に螺子部が設けられている場合は、ガン用螺子部１１の外周面に、上述の螺子部が設けられても構わない。
【００２５】
又、縮径部１２の形状に特に限定は無く、例えば、図１に示すように、円錐形状であっても良いし、三角錐形状や多角錐形状であっても構わない。又、図１に示すように、蓋１０ａに所定の厚みがあるため、縮径部１２は、蓋１０ａの下面に直接設けるよう構成しているが、蓋１０ａに十分な厚みが無い場合は、後述のように、本体部１０の蓋１０ａの下面から本体部１０の下方に向かって小筒状に延出された延出部を設け、その延出部に縮径部１２を設けるように構成しても構わない。
【００２６】
又、段差部１３の形状に特に限定は無いが、例えば、図１に示すように、スプレー缶の吹き出しストロー３１の外周径より所定のサイズだけ大きい外周径を有する円筒状の溝部や三角柱状の溝部、四角柱状の溝部、多角柱状の溝部を挙げることが出来る。本体部１０における段差部１３の位置は、缶用装着部１５がスプレー缶３の先端部３０に装着された際に、段差部１３に当接した吹き出しストロー３１を下方に押し出す程度の位置であると好ましい。本体部１０における段差部１３の位置は、本体部１０の高さや縮径部１２の位置、延出部の長さや位置を設計変更することで、適宜調整される。
【００２７】
又、貫通孔１４の構成に特に限定は無いが、例えば、図１に示すように、段差部１３の外周径よりも小さい外周径を有し、スプレー缶の吹き出しストロー３１の内周径よりも大きい外周径を有する構成を挙げることが出来る。
【００２８】
又、缶用装着部１５の構成に特に限定は無く、例えば、図１に示すように、スプレー缶３の先端部３０の外周を把持するような円環状の係止環でも良いし、本体部１０の筒の下面の端部から本体部１０の内部に向かって突出した突起状の突起部でも構わない。
【００２９】
又、アダプター１の各部を構成する素材に特に限定は無いが、例えば、合成樹脂や合成ゴム等の成形物を構成する素材を挙げることが出来る。
【００３０】
次に、本考案について、第二の実施形態について説明する。本考案に係るアダプター１は、図４−図５に示すように、上側本体部１００と、ガン用螺子部１０１と、延出部１０２と、縮径部１０３と、段差部１０４と、貫通孔１０５と、下側本体部１０６と、缶用装着部１０７と、第一の接続部１０８と、第二の接続部１０９と、を備える。尚、図４において、背面図と、左側面図と、右側面図は、正面図と同一にあらわれるため省略している。
【００３１】
ガン用螺子部１０１は、上側本体部１００の上面の中心から上側本体部１００の上方に向かって小筒状に設けられ、スプレーガン２の先端部２０と螺着可能である。
【００３２】
延出部１０２は、ガン用螺子部１０１の下面に対応する上側本体部１００の下面から上側本体部１００の下方に向かって小筒状に延出される。縮径部１０３は、延出部１０２の下面から上側本体部１００の上方に向かって縮径して設けられる。
【００３３】
段差部１０４は、縮径部１０３の頂点に設けられ、スプレー缶３の先端部３０から延出される吹き出しストロー３１に当接可能である。貫通孔１０５は、段差部１０４の中央から上側本体部１００の上方に向かってガン用螺子部１０１の下面の中央まで貫通して設けられる。
【００３４】
缶用装着部１０７は、下側本体部１０６の下面に設けられ、スプレー缶３の先端部３０に装着可能である。第一の接続部１０８は、上側本体部１００に設けられ、第二の接続部１０９は、下側本体部１０６に設けられ、第一の接続部１０８と接続可能であり、第一の接続部１０８に接続すると、上側本体部１００と下側本体部１０６とが全体として筒の上面を蓋で塞いだ形状になる。
【００３５】
ここで、上側本体部１００は、例えば、筒の上面を蓋１００ａで塞いだ形状であり、下側本体部１０６は、筒状である。又、缶用装着部１０７は、スプレー缶３の先端部３０の外周面に当接されるような円環状の溝部を備え、第一の接続部１０８は、上側本体部１００の下方の内周面に螺子部を備え、第二の接続部１０９は、第一の接続部１０８の螺子部に対応して、下側本体部１０６の外周面に螺子部を備える。
【００３６】
このような構成であっても、どのような場所でも気軽にスプレーガンを利用することが可能となる。即ち、本考案の第二の実施形態に係るアダプター１の使用方法について説明すると、図６に示すように、ユーザーが、下側本体部１０６の缶用装着部１０７をスプレー缶３の先端部３０に装着し、次に、上側本体部１００の第一の接続部１０８を下側本体部１０６の第二の接続部１０９に接続する。
【００３７】
すると、スプレー缶３の先端部３０の吹き出しストロー３１が、上側本体部１００の縮径部１０３に当接し、縮径部１０３の頂点に案内され、段差部１０４に当接する。段差部１０４の位置が、スプレー缶３の先端部３０に対して固定されるため、段差部１０４が、吹き出しストロー３１をスプレー缶３の内側に押し出し、スプレー缶３の内部のエアーは、段差部１０４の貫通孔１０５からガン用螺子部１０１の内部を通って外部に排出される。
【００３８】
ここで、アダプター１を、上側本体部１００と下側本体部１０６とに分離させることで、吹き出しストロー３１からのエアーの吹き出しを、上側本体部１００を下側本体部１０６に接続したタイミングに合わせることが可能となる。そのため、ユーザーは、吹き出しストロー３１からエアーを出したい場合には、上側本体部１００を下側本体部１０６に接続すれば良いし、吹き出しストロー３１からのエアーの吹き出しを止めたい場合は、上側本体部１００を下側本体部１０６から外せばよい。このように、上側本体部１００と下側本体部１０６との接続を制御することで、吹き出しストロー３１からのエアーの吹き出しを簡単に制御することが可能となる。
【００３９】
ここで、第一の接続部１０８を第二の接続部１０９に接続し、段差部１０４が吹き出しストロー３１に当接した状態で、上側本体部１００の第一の接続部１０８を下側本体部１０６の第二の接続部１０９に螺着し、第二の接続部１０９に対する第一の接続部１０８の螺着具合を調整することで、上側本体部１００の段差部１０４が吹き出しストロー３１を適度に押下する。そのため、第二の接続部１０９に対する第一の接続部１０８の螺着具合で、吹き出しストロー３１からのエアーの吹き出し力を調整することが可能となる。
【００４０】
缶用装着部１０７の構成に特に限定は無いが、例えば、図６に示すように、単純な筒に構成しても良いし、図７に示すように、筒の下端の内周面から外部に向かって傾斜したテーパー面１０７ｂを備える円環状の台部１０７ａを設けた構成でも良い。台部１０７ａにより、下側本体部１０６の缶用装着部１０７をスプレー缶３の先端部３０に当接させると、台部１０７ａのテーパー面１０７ｂにより、スプレー缶３の先端部３０が下側本体部１０６の缶用装着部１０７に案内されて、缶用装着部１０７へのスプレー缶３の先端部３０の装着を容易にする。
【００４１】
又、下側本体部１０６の構成に特に限定は無いが、例えば、図７に示すように、下側本体部１０６の一部に、下側本体部１０６の上方から下方に向かって隙間１０６ａ（スリット）を設けても良い。隙間１０６ａを設けることで、下側本体部１０６の円筒の内周径が多少拡張するため、スプレー缶３の先端部３０に対して下側本体部１０６の缶用装着部１０７の装着（嵌め合わせ）を容易にする。
【００４２】
又、缶用装着部１０７について、スプレー缶３が、先端部３０と一体として構成された一体式の場合は、上述のように、円環状の溝部を設ければ良いが、スプレー缶３が、先端部３０と分離可能に構成された分離式の場合は、スプレー缶３の先端部３０は、螺子部で構成されるため、図８に示すように、缶用装着部１０７は、スプレー缶３の先端部３０の螺子部に螺着する螺子部１０７ｃを形成しても構わない。
【００４３】
又、本考案について、第三の実施形態について説明する。本考案に係るアダプター１は、図９−図１３に示すように、上側本体部１００と、ガン用螺子部１０１と、延出部１０２と、縮径部１０３と、段差部１０４と、貫通孔１０５と、下側本体部１０６と、缶用装着部１０７と、第一の接続部１０８と、第二の接続部１０９と、を備える。
【００４４】
ここで、ガン用螺子部１０１は、上側本体部１００と一体として形成され、上側本体部１００は、例えば、ナットの頭部の六角柱状に構成されるが、ドーム状でも円柱状でも三角柱状でも四角柱状でも多角柱状でも構わない。ガン用螺子部１０１は、上側本体部１００の上面の中心から下方に向かって円柱状に開口され、スプレーガン２の先端部２０の螺子部に対応して、開口部の外面に螺子部を設けることで構成される。
【００４５】
一方、下側本体部１０６は、円筒の上面を蓋で塞いだ形状で構成され、更に、スプレー缶３との装着を簡易にするために、正面側と背面側とに開口部１０６ａを設けて、全体として略アーチ状に構成している。又、缶用装着部１０７は、下側本体部１０６の下方の二つの端部に、下側本体部１０６の内側に向かって突出し、スプレー缶３の先端部３０の内面に係止可能な係止部を設けることで構成される。
【００４６】
一方、上側本体部１００の第一の接続部１０８は、延出部１０２の上方近傍から上側本体部１００の左右方向のそれぞれに向かって延出された板状の引っ掛け部を設けることで構成される。下側本体部１０６の第二の接続部１０９は、下側本体部１０６の上面に、延出部１０２と第一の接続部１０８とを挿通可能な略楕円状の開口部を設けることで構成される。
【００４７】
これにより、上側本体部１００の延出部１０２と第一の接続部１０８の引っ掛け部とを下側本体部１０６の第二の接続部１０９の開口部に通して、上側本体部１００を９０度回転させると、第一の接続部１０８の引っ掛け部が第二の接続部１０９の開口部をスライドして下側本体部１０６の上面に引っ掛かる。そのため、ユーザーは、ワンタッチで上側本体部１００を下側本体部１０６に接続することが可能となる。
【００４８】
又、上側本体部１００の下面に溝部１１０を設け、下側本体部１０６の上面に、上側本体部１００の溝部１１０に入る突起部１１１を設け、上側本体部１００と下側本体部１０６との接続した際に、下側本体部１０６の突起部１１１が上側本体部１００の溝部１１０に入るよう構成しても良い。これにより、突起部１１１が溝部１１０に入ることで、下側本体部１０６に対する上側本体部１００の位置決めを可能とするとともに、第一の接続部１０８に対する第二の接続部１０９の接続を強固にすることが可能となる。
【００４９】
ここで、溝部１１０の数に特に限定は無いが、例えば、図９に示すように、第一の接続部１０８の二つの引っ掛け部のそれぞれに対向する上側本体部１００の下面の位置にそれぞれ二つ設けられても良いし、一つ又は二つ以上設けても構わない。又、突起部１１１の数に特に限定は無いが、例えば、図１０に示すように、下側本体部１０６の上面に一つ設けても良いし、溝部１１０の数に対応した数だけ設けても構わない。
【００５０】
又、溝部１１０の形状に特に限定は無いが、例えば、図９に示すように、半球状に構成されても良いし、三角錐状や四角錐状、多角錐状に構成されても構わない。又、突起部１１１の形状に特に限定は無いが、例えば、図１０に示すように、溝部１１０の形状に対応して、半球状に構成されても良いし、三角錐状や四角錐状、多角錐状に構成されても良い。
【００５１】
又、下側本体部１０６の蓋の下面のうち、第一の接続部１０８の引っ掛け部が当接する部分に当接部１１２を設けてもよい。これにより、第一の接続部１０８の引っ掛け部が第二の接続部１０９の開口部をスライドして下側本体部１０６の上部の下面に引っ掛かった際に、第一の接続部１０８が当接部１１２に当接して、第一の接続部１０８を押下し、第一の接続部１０８の引っ掛かり部の引っ掛かりを強固にすることが出来る。
【００５２】
更に、本考案について、第四の実施形態について説明する。本考案に係るアダプター１は、図１４−図１５に示すように、上側本体部１００と、ガン用螺子部１０１と、延出部１０２と、縮径部１０３と、段差部１０４と、貫通孔１０５と、下側本体部１０６と、缶用装着部１０７と、第一の接続部１０８と、第二の接続部１０９と、を備える。
【００５３】
ここで、上側本体部１００は、筒の上面を蓋で塞いだ形状であり、第一の接続部１０８は、上側本体部１００の外側面に、上側本体部１００の左右方向に沿った長尺状の開口部を設けることで構成される。
【００５４】
下側本体部１０６は、筒状又は環状であり、第二の接続部１０９は、下側本体部１０６の筒の上面の所定の位置から下側本体部１０６の上方に向かって延出し、所定の高さで下側本体部１０６の外側に向かって膨出した延出膨出部を設けることで構成される。
【００５５】
又、缶用装着部１０７は、下側本体部１０６の筒の下端の内周面から外部に向かって傾斜したテーパー面１０７ｂを備える円環状の台部１０７ａを設けた構成である。
【００５６】
これにより、下側本体部１０６の缶用装着部１０７をスプレー缶３の先端部３０に装着した後に、下側本体部１０６の第二の接続部１０９の延出膨出部を、上側本体部１００の中に入れて、上側本体部１００の第一の接続部１０８の開口部に、上側本体部１００の内側から外側に向けて引っ掛ける。この場合、上側本体部１００の開口部に下側本体部１０６の延出膨出部を押し込むことで、ワンタッチで上側本体部１００を下側本体部１０６に接続することが可能となる。
【００５７】
ここで、第一の接続部１０８の開口部の数に特に限定は無いが、例えば、図１４に示すように、上側本体部１００の外側面の左右に一つずつ設けて、合計二つ設けても良いし、上側本体部１００の外側面の前後左右に一つずつ設けて、合計四つ設けても構わない。又、第二の接続部１０９の延出膨出部の数に特に限定は無いが、例えば、図１４に示すように、上側本体部１００の開口部の数に対応する数で、下側本体部１０６の筒の左右に一つずつ設けると好ましい。
【００５８】
又、下側本体部１０６の構成に特に限定は無いが、例えば、図１４に示すように、下側本体部１０６の一部に、下側本体部１０６の上方から下方に向かって隙間１０６ａを設けても良い。隙間１０６ａを設けることで、下側本体部１０６の筒又は環の内周径が多少拡張する。これにより、第二の接続部１０９の延出膨出部が多少拡縮するため、下側本体部１０６の延出膨出部を上側本体部１００の開口部に入れ易くなる。
【００５９】
更に、本考案について、第五の実施形態について説明する。本考案に係るアダプター１は、図１６−図１７に示すように、上側本体部１００と、ガン用螺子部１０１と、延出部１０２と、縮径部１０３と、段差部１０４と、貫通孔１０５と、下側本体部１０６と、缶用装着部１０７と、第一の接続部１０８と、第二の接続部１０９と、を備える。
【００６０】
ここで、上側本体部１００は、筒の上面を蓋で塞いだ形状であり、第一の接続部１０８は、上側本体部１００の筒の内周面に、上側本体部１００の左右方向に沿った板状の突起部を設けることで構成される。
【００６１】
下側本体部１０６は、筒状であり、第二の接続部１０９は、下側本体部１０６の筒の外周面に、下側本体部１０６の上方から下方に下がって溝が設けられ、所定の高さで下側本体部１０６の左右方向のいずれかに沿って溝が設けられる略Ｌ字状のスライド溝部を設けることで構成される。
【００６２】
尚、缶用装着部１０７は、下側本体部１０６の筒の下端の内周面から外部に向かって傾斜したテーパー面１０７ｂを備える円環状の台部１０７ａを設けた構成である。
【００６３】
これにより、下側本体部１０６の缶用装着部１０７をスプレー缶３の先端部３０に装着した後に、上側本体部１００の第一の接続部１０８の突起部を、下側本体部１０６の第二の接続部１０９のスライド溝部の上端に合わせて、下方に下げ、上側本体部１００を上側本体部１００左右方向のいずれかにスライドさせると、上側本体部１００の第一の接続部１０８の突起部が、下側本体部１０６の第二の接続部１０９のスライド溝部の下端に沿ってスライドし、固定される。これにより、スライドで上側本体部１００を下側本体部１０６に接続することが可能となる。
【００６４】
ここで、第一の接続部１０８の突起部の形状に特に限定は無いが、例えば、図１６に示すように、板状でも良いし、球状でも多角状でも構わない。又、第二の接続部１０９のスライド溝部の形状に特に限定は無いが、例えば、図１６に示すように、略Ｌ字状でも良いし、くの字状でも構わない。
【００６５】
又、第二の接続部１０９のスライド溝部の一部に、第一の接続部１０８の突起部がスライドにより乗り越えることが可能な壁部１０９ａを設けても良い。壁部１０９ａを設けることで、上側本体部１００の第一の接続部１０８の突起部を、下側本体部１０６の第二の接続部１０９のスライド溝部の下端に沿ってスライドさせた際に、スライド溝部の壁部１０９ａを乗り越え、スライド溝部の基端で停止する。すると、今度は、上側本体部１００の第一の接続部１０８の突起部を、先ほどのスライド方向と逆方向に強くスライドさせなければ、スライド溝部の壁部１０９ａを乗り越えることが出来ないため、第一の接続部１０８の突起部を位置決めし、且つ、第一の接続部１０８を第二の接続部１０９に強固に固定することが可能となる。
【００６６】
又、下側本体部１０６の構成に特に限定は無いが、例えば、図１６に示すように、下側本体部１０６の一部に、下側本体部１０６の上方から下方に向かって隙間１０６ａを設けても良い。隙間１０６ａを設けることで、下側本体部１０６の円筒の内周径が多少拡張するため、上側本体部１００の第一の接続部１０６の突起部を、下側本体部１０６の第二の接続部１０９のスライド溝部に入れ易くなる。
【００６７】
このように、本考案に係るアダプター１は、多種多様な形状に適宜設計変更することが可能となる。尚、本考案の実施形態では、アダプター１の構成に、更に、他の機能を追加しても構わない。
【産業上の利用可能性】
【００６８】
以上のように、本考案は、スプレーガンとスプレー缶とを接続するアダプターとして有用であり、どのような場所でも気軽にスプレーガンを利用することが可能なアダプターとして有効である。
【符号の説明】
【００６９】
１    アダプター
１０  本体部
１１  ガン用螺子部
１２  縮径部
１３  段差部
１４  貫通孔
１５  缶用装着部
【図１】
0003230286.tif 000003
【図２】
0003230286.tif 000004
【図３】
0003230286.tif 000005
【図４】
0003230286.tif 000006
【図５】
0003230286.tif 000007
【図６】
0003230286.tif 000008
【図７】
0003230286.tif 000009
【図８】
0003230286.tif 000010
【図９】
0003230286.tif 000011
【図１０】
0003230286.tif 000012
【図１１】
0003230286.tif 000013
【図１２】
0003230286.tif 000014
【図１３】
0003230286.tif 000015
【図１４】
0003230286.tif 000016
【図１５】
0003230286.tif 000017
【図１６】
0003230286.tif 000018
【図１７】
0003230286.tif 000019